(57)【特許請求の範囲】
【請求項１】
横葺き屋根材のはぜ部を利用して固定される支持金具に取り付けられた架台を介して太陽電池モジュールが屋根面に設置されており、屋根のケラバ側に位置する太陽電池モジュールのケラバ側の縁とケラバ構成部材との間隔、または上記ケラバ構成部材に隣接して上記横葺き屋根材を覆うように配置されたケラバ化粧部材との間隔が２００ｍｍ以内とされており、上記太陽電池モジュールのケラバ側の縁が上記架台から離間して位置し、上記間隔をなす箇所の下方にも上記横葺き屋根材が途切れずに存在していることを特徴とする屋根上太陽電池モジュール設置構造。
【請求項２】
請求項１に記載の屋根上太陽電池モジュール設置構造において、上記屋根の棟側に位置する太陽電池モジュールと棟構成部材との間には上記横葺き屋根材を覆うように棟化粧部材が配置されていることを特徴とする屋根上太陽電池モジュール設置構造。
【請求項３】
請求項２に記載の屋根上太陽電池モジュール設置構造において、上記棟化粧部材は上記太陽電池モジュールの裏面側の空間に連通する通気部を有していることを特徴とする屋根上太陽電池モジュール設置構造。
【請求項４】
請求項１〜請求項３のいずれか１項に記載の屋根上太陽電池モジュール設置構造において、上記屋根の軒先に位置する太陽電池モジュールの水下端が上記屋根の軒先に位置する横葺き屋根材の水下端よりも外側位置に存在することを特徴とする屋根上太陽電池モジュール設置構造。
【請求項５】
請求項１〜請求項４のいずれか１項に記載の屋根上太陽電池モジュール設置構造において、上記屋根の軒先には、上記屋根の軒先に位置する太陽電池モジュールの水下端から下方側に向かうように位置する軒先カバーが配置されていることを特徴とする屋根上太陽電池モジュール設置構造。
【請求項６】
請求項１〜請求項５のいずれか１項に記載の屋根上太陽電池モジュール設置構造において、上記屋根の軒先には、上記横葺き屋根材の水下端を受け止める第１受け部と上記屋根の軒先に位置する太陽電池モジュールの水下端を受け止める第２受け部を有する受け金具が配置されていることを特徴とする屋根上太陽電池モジュール設置構造。
【請求項７】
請求項１〜請求項６のいずれか１項に記載の屋根上太陽電池モジュール設置構造が棟を境にして一方の屋根面に構成されており、他方の屋根面には上記横葺き屋根材よりも単位面積当たりの重量が重い屋根材が葺かれていることを特徴とする屋根上太陽電池モジュール設置構造。
【請求項８】
請求項１〜請求項６のいずれか１項に記載の屋根上太陽電池モジュール設置構造が棟を境にして一方の屋根面に構成されており、他方の屋根面には上記横葺き屋根材と単位面積当たりの重量が同じまたは軽い屋根材が葺かれていることを特徴とする屋根上太陽電池モジュール設置構造。
【発明の詳細な説明】
【技術分野】
【０００１】
この発明は、屋根上に太陽電池モジュールが設置された屋根上太陽電池モジュール設置構造に関する。
【背景技術】
【０００２】
屋根上に太陽電池モジュールを設置する構造として、太陽電池モジュール自体を瓦として屋根上に配置する構造が特許文献１に開示されており、更に、この特許文献１には、通常の瓦部分と上記太陽電池モジュールとの間に連続性を持たせるように化粧カバーを配置することが開示されている。また、特許文献２には、横葺き屋根材のはぜ部（屋根材同士の接続箇所）に固定される支持金具を用いて屋根に太陽電池モジュールを設置する構造が開示されている。
【先行技術文献】
【特許文献】
【０００３】
【特許文献１】特開平１０−３１７５９８号公報
【特許文献２】特開平１０−２３１５９１号公報
【発明の開示】
【発明が解決しようとする課題】
【０００４】
しかしながら、上記特許文献１に開示されている屋根構造では、瓦の領域と太陽電池モジュールの設置領域とが一つの屋根面に混在して見えるため、良好な美観が得られないという欠点がある。また、上記特許文献２に開示されている屋根構造でも、太陽電池モジュールの設置箇所以外は横葺き屋根材が露呈し、太陽電池モジュールと上記横葺き屋根材の混在感が生じて良好な美観が得られないという欠点がある。
【０００５】
この発明は、上記の事情に鑑み、横葺き屋根材のはぜ部を利用して固定される支持金具を用いて屋根に太陽電池モジュールを設置するとともに当該太陽電池モジュールと上記横葺き屋根材の混在感を解消または軽減して良好な美観を得ることができる屋根上太陽電池モジュール設置構造を提供することを課題とする。
【課題を解決するための手段】
【０００６】
この発明の屋根上太陽電池モジュール設置構造は、上記の課題を解決するために、横葺き屋根材のはぜ部を利用して固定される支持金具を介して太陽電池モジュールが屋根面に設置されており、屋根のケラバ側に位置する太陽電池モジュールのケラバ側の縁とケラバ構成部材との間隔、または上記ケラバ構成部材に隣接して上記横葺き屋根材を覆うように配置されたケラバ化粧部材との間隔が２００ｍｍ以内とされていることを特徴とする。
【０００７】
上記の構成であれば、屋根のケラバ側に位置する太陽電池モジュールのケラバ側の縁とケラバ構成部材との間隔、または上記ケラバ構成部材に隣接して上記横葺き屋根材を覆うように配置されたケラバ化粧部材との間隔が２００ｍｍ以内とされるので、少なくとも上記ケラバ側での上記横葺き屋根材の露呈が解消または軽減されることになり、上記太陽電池モジュールと上記横葺き屋根材の混在感を解消して良好な美観を得ることができる。
【０００８】
上記の屋根上太陽電池モジュール設置構造において、上記屋根の棟側に位置する太陽電池モジュールと棟構成部材との間には上記横葺き屋根材を覆うように棟化粧部材が配置されているのがよい。かかる構成であれば、棟側でも上記横葺き屋根材の露呈が解消または軽減されることになる。
【０００９】
また、上記棟化粧部材は上記太陽電池モジュールの裏面側の空間に連通する通気部を有していてもよい。かかる構成であれば、上記太陽電池モジュールの裏面側に形成される空気流を棟側に通過させて上記太陽電池モジュールの温度上昇を抑制し発電効率を良好に保つことができる。
【００１０】
上記の屋根上太陽電池モジュール設置構造において、上記屋根の軒先に位置する太陽電池モジュールの水下端が上記屋根の軒先に位置する横葺き屋根材の水下端よりも外側位置に存在するのがよい。かかる構成であれば、上記屋根の軒先においても上記横葺き屋根材の露呈が解消または軽減されることになる。
【００１１】
上記の屋根上太陽電池モジュール設置構造において、上記屋根の軒先には、上記屋根の軒先に位置する太陽電池モジュールの水下端から下方側に向かうように位置する軒先カバーが配置されているのがよい。かかる構成であれば、上記屋根の軒先に位置する上記横葺き屋根材の水下端が上記軒先カバーによって見えにくくなり、更に美観が向上する。
【００１２】
上記の屋根上太陽電池モジュール設置構造において、上記屋根の軒先には、上記横葺き屋根材の水下端を受け止める第１受け部と上記屋根の軒先に位置する太陽電池モジュールの水下端を受け止める第２受け部を有する受け金具が配置されているのがよい。かかる構成であれば、上記横葺き屋根材の水下端の裏面側を受け止める金具と上記太陽電池モジュールの水下端を受け止める金具を別々に用意して配置する必要がなくなり、施工性が向上する。
【００１３】
上記の屋根上太陽電池モジュール設置構造が棟を境にして一方の屋根面に構成されており、他方の屋根面には上記横葺き屋根材よりも単位面積当たりの重量が重い屋根材が葺かれていてもよい。かかる構成であれば、屋根の重量バランスが得られやすくなる。一方、上記の屋根上太陽電池モジュール設置構造が棟を境にして一方の屋根面に構成されており、他方の屋根面には上記横葺き屋根材と単位面積当たりの重量が同じまたは軽い屋根材が葺かれていてもよい。かかる構成であれば、屋根の全体重量の軽量化が図れる。
【発明の効果】
【００１４】
本発明であれば、横葺き屋根材のはぜ部を利用して固定される支持金具を用いて屋根に太陽電池モジュールを設置するとともに当該太陽電池モジュールと上記横葺き屋根材の混在感を解消して良好な美観を得ることができる等の諸効果を奏する。
【図面の簡単な説明】
【００１５】
【図１】本発明の一実施形態に係る屋根上太陽電池モジュール設置構造を示した説明図である。
【図２】同図（Ａ）及び同図（Ｂ）は図１の部分拡大図である。
【図３】同図（Ａ）は図１の屋根上太陽電池モジュール設置構造の一方の側のケラバ部分を示した説明図であり、同図（Ｂ）は他方の側のケラバ部分を示した説明図である。
【図４】図１の屋根上太陽電池モジュール設置構造の棟部分を示した説明図である。
【図５】図１の屋根上太陽電池モジュール設置構造の軒先部分を示した説明図である。
【図６】同図（Ａ）は図１の屋根上太陽電池モジュール設置構造の軒先部分に配置される金具の正面図であり、同図（Ｂ）は平面図であり、同図（Ｃ）は側面図である。
【図７】同図（Ａ）は図１の屋根上太陽電池モジュール設置構造で用いた支持金具の平面図であり、同図（Ｂ）は側面図である。
【図８】同図（Ａ）は図１の屋根上太陽電池モジュール設置構造で用いた補強金具の平面図であり、同図（Ｂ）は背面図であり、同図（Ｃ）は側面図である。
【図９】同図（Ａ）、（Ｂ）、（Ｃ）は図１の屋根上太陽電池モジュール設置構造を得る前段階として、野地板上に金属横葺き屋根材及び支持金具を取り付けていく工程を示した説明図である。
【図１０】図９に示した作業により野地板上に金属横葺き屋根材及び支持金具が配置された屋根構造を示した説明図である
【発明を実施するための最良の形態】
【００１６】
次に、この発明の実施形態に係る屋根上太陽電池モジュール設置構造を添付図面に基づいて具体的に説明する。なお、本発明に係る屋根上太陽電池モジュール設置構造は、下記の実施形態に示したものに限定されず、その要旨を変更しない範囲において適宜変更して実施できるものである。
【００１７】
図１はこの発明の実施形態に係る屋根上太陽電池モジュール設置構造を示した説明図である。屋根１００の野地板１０１上に複数枚の金属横葺き屋根材３が配置されており、この金属横葺き屋根材３のはぜ部３０を利用して支持金具１が固定されている。この支持金具１の本体１ａには架台固定用長穴１ｂが形成されており、上記架台固定用長穴１ｂを通して取付用ボルト・ナット２におけるボルトが挿通され、この取付用ボルト・ナット２によって上記支持金具１上に架台６が取り付けられる。そして、上記架台６の上面に設けられている固定部６１に太陽電池モジュール７が固定支持される。上記太陽電池モジュール７は上記屋根１００の全体を利用して敷きつめられている。なお、軒先の鼻隠し１０２には樋１０３が固定されており、上記樋１０３と外壁パネル１０４との間には軒天板１０５が配置されている。
【００１８】
図２（Ａ）及び図２（Ｂ）は図１に示した上記架台６の配置箇所を拡大して示した拡大図である。上記架台６は例えば折り曲げ加工された鋼板からなる本体部の上面にアルミニウム材からなる固定部６１をビス６３により固定したものである。上記ビス６３が螺合されるナット部６２は複数箇所に形成されており、上記本体部に対する上記固定部６１の固定位置を変更できるようになっている。上記固定部６１は、水下側の太陽電池モジュール７の縁を受け止める受け部分と水上側の太陽電池モジュール７の縁を受け止める受け部分とが背向状態に形成された断面略エ字形状を有する。そして、上記固定部６１の上記受け部分と太陽電池モジュール７の縁との間にはパッキン部材６１ａが装着されている。なお、上記架台６の上記取付用ボルト・ナット２が装着される側とは反対の側の下端部に凸片部を設けておき、この凸片部を上記架台固定用長穴１ｂに係止させて当該架台６の移動を規制するようにしていてもよい。
【００１９】
図３（Ａ）及び図３（Ｂ）は、上記の屋根上太陽電池モジュール設置構造におけるケラバ箇所を示した説明図である。図３（Ａ）に示した構造では、屋根のケラバ側に位置する太陽電池モジュール７Ａのケラバ側の縁と鋼板ケラバ破風（ケラバ構成部材）１０６との間に上記金属横葺き屋根材３を覆うようにケラバ化粧部材１０８を設けている。
【００２０】
上記ケラバ化粧部材１０８は、上記鋼板ケラバ破風１０６の上面から上記太陽電池モジュール７Ａの上面にかけてフラットとなるようにその高さが設定されている。そして、上記ケラバ化粧部材１０８のケラバ側縁部は、上記鋼板ケラバ破風１０６の上面を通ってその側面に至り、ビス１０６ａによって上記鋼板ケラバ破風１０６に固定される。また、このケラバ化粧部材１０８の屋根側の端部には、上記太陽電池モジュール７Ａのケラバ側の縁と対面する箇所で下り段部を形成し、当該ケラバ側の縁の裏面側に入り込む形状を有し幅が８０ｍｍ程度の固定金具１０８ａが設けられている。この固定金具１０８ａは、上記支持金具１に固定されている。また、上記固定金具１０８ａと上記ケラバ化粧部材１０８の重なり部分にはブロック部材１０８ｂが配置されており、このブロック部材１０８ｂに上記ケラバ化粧部材１０８と上記固定金具１０８ａがビス１０８ｃにより留め付けられている。そして、上記太陽電池モジュール７Ａのケラバ側の縁面と上記ケラバ化粧部材１０８の端面との間隔Ｄ１は２００ｍｍ以内（好ましくは１００ｍｍ以内乃至は５０ｍｍ以内）とされている。
【００２１】
一方、図３（Ｂ）に示した構造では、屋根のケラバ側に位置する太陽電池モジュール７Ａのケラバ側の縁面と上記鋼板ケラバ破風１０６の内側縁とが間隔Ｄ２をおいて対面している。上記鋼板ケラバ破風１０６の内側縁は屋根側に突き出て上記金属横葺き屋根材３の縁の上方に臨むようになっている。上記間隔Ｄ２は２００ｍｍ以内（好ましくは１００ｍｍ以内乃至は５０ｍｍ以内）とされており、この実施例では２７ｍｍとしている。なお、上記屋根１００の両側ケラバが上記図３（Ａ）に示した構造或いは図３（Ｂ）に示した構造を採るようにしてもよいし、一方のケラバが図３（Ａ）に示した構造を採り、他方のケラバが図３（Ｂ）に示した構造を採るようにしてもよい。
【００２２】
図４は、上記の屋根上太陽電池モジュール設置構造における棟箇所を示した説明図である。上記屋根１００の棟側に位置する太陽電池モジュール７Ｂと棟換気部カバー（棟構成部材）１１０と間には棟化粧部材１０９が上記金属横葺き屋根材３を覆うように配置されている。上記棟化粧部材１０９の水下側端は上記架台６の固定部６１上に達しており、上記棟化粧部材１０９は太陽電池モジュール７Ｂの表面に対してフラットとなるように配置されている。上記棟化粧部材１０９の水下側の裏面には断面形状が略Ｚ形状で幅が５０ｍｍ程度である固定金具１０９ａの一端側がビス等により固定されており、この固定金具１０９ａの他端側は棟端支持金具１Ｅに上記取付用ボルト・ナット２を用いて固定される。上記固定金具１０９ａは上記のように幅が５０ｍｍ程度で互いに間隔をおいて配置されるので、上記太陽電池モジュール７Ｂの水上側が上記棟化粧部材１０９によって閉じられてしまうことはない。また、上記棟化粧部材１０９の水上側には段状に立面部が形成され、更に上記棟化粧部材１０９の水上側の縁は上記棟換気部カバー１１０における内カバー部の下側に差し込まれており、ビス１１１によって固定されている。そして、上記立面部には通気穴１０９ｂが複数個形成されている。すなわち、上記棟化粧部材１０９は上記太陽電池モジュール７の裏面側の空間に連通する通気部として上記通気穴１０９ｂ及び上記固定金具１０９ａ間の隙間を有している。
【００２３】
また、この実施形態では、上記図４に示しているように、上記屋根上太陽電池モジュール設置構造が棟（棟換気部カバー１１０）を境にして一方の屋根面に構成されており、他方の屋根面には上記金属横葺き屋根材３よりも単位面積当たりの重量が重いスレート瓦等からなる屋根材１０７を葺き、上記太陽電池モジュール７は設置していない。
【００２４】
図５は、上記の屋根上太陽電池モジュール設置構造における軒先箇所を示した説明図である。上記屋根１００の軒先端には止め金具１１２がビス３１によって固定されている。上記止め金具１１２は、上記金属横葺き屋根材３の水下端の裏面側を受け止める第１受け部１１２ａと上記屋根１００の軒先側に位置する太陽電池モジュール７Ｃの水下端を受け止める第２受け部１１２ｂを有する。上記第２止め部１１２ｂと太陽電池モジュール７Ｃの縁との間にはパッキン部材１１２ｈが装着されている。そして、上記屋根１００の軒先端に位置する太陽電池モジュール７Ｃの水下端が上記屋根１００の軒先端に位置する上記金属横葺き屋根材３の水下端よりも外側に位置するようにしている。また、上記屋根１００の軒先には、上記太陽電池モジュール７Ｃの水下端から下方側に向かうように位置する軒先カバー１１３が配置されている。上記軒先カバー１１３はビス１１２ｄによって止め金具１１２に固定されている。
【００２５】
図６は、上記止め金具１１２を示した図であり、同図（Ａ）は正面図であり、同図（Ｂ）は平面図であり、同図（Ｃ）は側面図である。上記止め金具１１２は、略コ字状に折り曲げ加工された鋼板本体部１１２ｃの上面部に第２受け部１１２ｂをビス１１２ｄにより固定したものである。第２受け部１１２ｂは幅方向の両端部に上記ビス１１２ｄが装着される片部を有し、この片部の間の部分は折り曲げられて上記鋼板本体部１１２ｃの上面部に形成された切欠き部１１２ｅを通り上記上面部の裏面側に位置している。また、第２受け部１１２ｂは、上記片部から立ち上がる部分を有すると共にこの立ち上がる部分から曲げられて上記鋼板本体部１１２ｃの上面部と対面する部分を有する。そして、上記鋼板本体部１１２ｃの下面部の中央部分の一部が剪断されて舌片部が形成され、この舌片部が段状に折り曲げられることで上記第１受け部１１２ａが形成されている。また、上記鋼板本体部１１２ｃの立面部には雨水を樋１０３へと導く開口１１２ｆが形成されている。
【００２６】
図７は上記支持金具１を示した図であって、同図（Ａ）は平面図であり、同図（Ｂ）は側面図である。上記支持金具１は、上記金属横葺き屋根材３の水下端から水上端に至る長さを有しており、軒側端に軒側差込片１１を有する。この軒側差込片１１は支持金具本体１ａの本体軒側端を折り曲げ形成してなるものである。上記軒側差込片１１には立ち上げ片１１ａが折り曲げ形成されている。上記軒側差込片１１をはぜ部３０に差し込む際には木槌等による押圧力を上記支持金具１に加えることになるが、上記立ち上げ片１１ａが形成されていることで上記押圧力が加えや易くなっている。上記支持金具本体１ａには貫通螺子穴１ｃが形成されており、この貫通螺子穴１ｃに金具固定ボルト４が設けられる。上記金具固定ボルト４は、上記支持金具本体１ａに装着されてそのボルト先端部にて上記金属横葺き屋根材３のはぜ部３０の上面を押圧することになる。また、上記支持金具本体１ａには、上記の架台固定用穴１ｂが形成されている。
【００２７】
上記支持金具本体１ａの本体棟側端は上記本体軒側端よりも横幅が狭く形成されて支持金具１，１同士の端部重ね配置が可能とされる。上記支持金具本体１ａの本体棟側端の突出片１３の上面となる箇所には貫通穴部１ｄが形成されている。この貫通穴部１ｄは、支持金具１，１同士の端部重ね配置が行われたときに、上側に位置する支持金具１の貫通螺子穴１ｃの凸箇所が嵌まる位置に存在するものである。また、上記支持金具本体１ａ両横部には、強度向上のための折り曲げ部１ｅが形成されている。
【００２８】
図８は補強部材５を示した図であって、同図（Ａ）は平面図であり、同図（Ｂ）は背面図であり、同図（Ｃ）は側面図である。この補強部材５は、上側板５１と下側板５２とこれらを繋ぐ立ち上げ部５３を有する段状の部材である。そして、上記下側板５２にはビス用貫通穴５２ａが形成されている。
【００２９】
図９は金属横葺き屋根材３及び補強部材５を用いて金属横葺き屋根を葺いていきながら上記支持金具１を配置していく工程を示した説明図である。図９（Ａ）に示すように、野地板１０１上に上記金属横葺き屋根材３を配置し、更に上記金属横葺き屋根材３の固定部３ｃの上に上記補強部材５の下側板５２を位置させ、上記ビス３１を上記ビス用貫通穴５２ａから通して上記野地板１０１に固定する。次に、同図（Ｂ）に示すように、上記固定した野地板１０１の水上側に別の金属横葺き屋根材３を配置する。このとき、水上側に位置する金属横葺き屋根材３の水下側の折り返し係合部３ａを、水下側に位置する金属横葺き屋根材３の水上側の折り返し係合部３ｂに係合させる。そして、同図（Ｃ）に示すように、上記支持金具１を配置する。
【００３０】
このように配置していくと、図１０に示すように、隣り合う支持金具１，１同士はその端部を重ねて配置されていく。そして、上記補強部材５の上側板５２は上記屋根のはぜ部３０における水上側の屋根材３の下面側に位置して上記金具固定ボルト４の押圧を受けることになる。
【００３１】
なお、支持金具１は上記のような重ね合わせされる構成を有するものに限らず、水上側に棟側差込片を有して重ね合わせされない構造の支持金具を用いてもよいものであり、金属横葺き屋根材３のはぜ部３０を利用して屋根に固定される構造であればどのような構造でもよい。
【００３２】
上記の屋根上太陽電池モジュール設置構造においては、図３（Ａ）に示したように、上記太陽電池モジュール７Ａのケラバ側の縁面と上記ケラバ化粧部材１０８の端面との間隔Ｄ１は２００ｍｍ以内とされている。また、図３（Ｂ）に示したように、上記太陽電池モジュール７Ａのケラバ側の縁面と上記鋼板ケラバ破風１０６の内側面とが間隔Ｄ２をおいて直接に対面している構造部において上記間隔Ｄ２を２００ｍｍ以内としている。これにより、屋根１００の全面に太陽電池モジュール７をできるだけ多く敷きつめ、少なくとも上記ケラバ側での上記金属横葺き屋根材３の露呈を解消または軽減し、上記太陽電池モジュール７と上記金属横葺き屋根材３との混在感を解消して良好な美観を得ることができる。また、上記金属横葺き屋根材３により葺かれた屋根１００に穴を空けずに太陽電池モジュール７を設置することになるので、雨仕舞の心配は全く生じない。
【００３３】
なお、仮に上記ケラバ化粧部材１０８を設けないために太陽電池モジュール７と上記鋼板ケラバ破風１０６との間が凹形状になっていたとすると、上記凹形状部分に積もった雪が上記ケラバ化粧部材１０８を押す荷重が発生するおそれがある。上記のように太陽電池モジュール７と上記鋼板ケラバ破風１０６との間にケラバ化粧部材１０８が配置されることで、このような荷重発生のおそれを回避できる。
【００３４】
更に、図４に示したように、上記屋根１００の棟側に位置する太陽電池モジュール７Ｂと棟換気部カバー（棟構成部材）１１０と間には棟化粧部材１０９が上記金属横葺き屋根材３を覆うように配置されているので、棟側でも上記金属横葺き屋根材３の露呈が解消または軽減されることになる。また、上記棟化粧部材１０９は上記太陽電池モジュール７の裏面側の空間に連通する通気部（固定金具１０９ａ間の隙間及び通気穴１０９ｂ）を有しているので、上記太陽電池モジュール７の裏面側に形成される空気流を棟側に通過させて上記太陽電池モジュール７の温度上昇を抑制し発電効率を良好に保つことができる。
【００３５】
また、図５に示したように、上記屋根１００の軒先端には、上記金属横葺き屋根材３の水下端の裏面側を受け止める第１受け部１１２ａと上記太陽電池モジュール７Ｃの水下端を受け止める第２受け部１１２ｂを有する受け金具１１２が設けられている。これにより、上記金属横葺き屋根材３の水下端の裏面側を受け止める金具と上記太陽電池モジュール７の水下端を受け止める金具を別々に用意して配置する必要がなくなり、施工性が向上する。
【００３６】
更に、図５に示したように、上記屋根１００の軒先端に位置する太陽電池モジュール７Ｃの水下端が上記屋根１００の軒先端に位置する上記金属横葺き屋根材３の水下端よりも外側位置に存在している。これにより、上記屋根１００の軒先においても上記金属横葺き屋根材３の露呈が解消または軽減され、更に美観が向上する。
【００３７】
また、上記屋根１００の軒先には、上記屋根１００の軒先に位置する太陽電池モジュール７Ｃの水下端から下方側に向かうように位置する軒先カバー１１３が配置されているので、上記屋根１００の軒先に位置する上記金属横葺き屋根材３の水下端が見えにくくなり、更に美観が向上する。
【００３８】
また、図４に示したように、上記金属横葺き屋根材３を葺いた屋根に上記太陽電池モジュール７を配置した上記屋根上太陽電池モジュール設置構造が棟（棟換気部カバー１１０）を境にして一方の屋根面に構成されており、他方の屋根面には上記金属横葺き屋根材３よりも単位面積当たりの重量が重いスレート瓦等からなる屋根材１０７を葺いて上記太陽電池モジュール７を設置しないようにしている。これにより、太陽電池モジュール７が配置される一方の屋根面と太陽電池モジュール７が配置されない他方の屋根面とにおける重量バランスが得られやすくなる。
【００３９】
一方、図示はしていなが、上記金属横葺き屋根材３を葺いた屋根に上記太陽電池モジュール７を配置した上記屋根上太陽電池モジュール設置構造が棟（棟換気部カバー１１０）を境にして一方の屋根面に構成されており、他方の屋根面には上記金属横葺き屋根材３と単位面積当たりの重量が同じまたは軽い屋根材を葺いて上記太陽電池モジュール７を設置しないようにしてもよい。この場合には、屋根１００の全体重量の軽量化が図れることになる。
【符号の説明】
【００４０】
１      支持金具
２      取付用ボルト
３      金属横葺き屋根材
４      金具固定ボルト
５      補強金具
７      太陽電池モジュール
１００  屋根
１０１  野地板
１０６  鋼板ケラバ破風（ケラバ構成部材）
１０７  屋根材（金属横葺き屋根材よりも重い）
１０８  ケラバ化粧部材
１０９  棟化粧部材
１１０  棟換気部カバー（棟構成部材）
１１２  受け金具
１１２ａ第１受け部
１１２ｂ第２受け部
１１３  軒先カバー
【図１】
0006006482.tif 000002
【図２】
0006006482.tif 000003
【図３】
0006006482.tif 000004
【図４】
0006006482.tif 000005
【図５】
0006006482.tif 000006
【図６】
0006006482.tif 000007
【図７】
0006006482.tif 000008
【図８】
0006006482.tif 000009
【図９】
0006006482.tif 000010
【図１０】
0006006482.tif 000011